(57)【要約】【課題】  設置作業の容易な照明看板装置を提供する。【解決手段】  それぞれがハンガー部材１０を有する第１及び第２の照明看板ユニット３ａと、壁面に固定され、長手方向に平行な溝２３を有し、且つ溝２３とハンガー部材１０を係合させて第１の照明看板ユニット３ａを吊り下げ支持する固定レール２０と、壁面に固定される固定部材２５と、長手方向に平行な溝２４を有し、固定部材２５を軸として回動可能であり、且つ溝２４とハンガー部材１０を係合させて第２の照明看板ユニット３ｂを吊り下げ支持する可動レール２１と、を有し、可動レール２１を所定位置に回動することで、第１又は第２の照明看板ユニット３ａ、３ｂが可動レール２１と固定レール２０間を相互に移動可能に照明看板装置１を構成する。【選択図】      図３
2007058024.tif 000002
【特許請求の範囲】
【請求項１】
それぞれがハンガー部材を有する第１及び第２の照明看板ユニットと、
壁面に固定され、長手方向に平行な溝を有し、且つ該溝と前記ハンガー部材を係合させて前記第１の照明看板ユニットを吊り下げ支持する固定レールと、
壁面に固定される固定部材と、
長手方向に平行な溝を有し、前記固定部材を軸として回動可能であり、且つ該溝と前記ハンガー部材を係合させて前記第２の照明看板ユニットを吊り下げ支持する可動レールと、を有し、
前記可動レールを所定位置に回動することで、前記第１又は第２の照明看板ユニットが前記可動レールと前記固定レール間を相互に移動可能なことを特徴とする照明看板装置。
【請求項２】
前記第１及び第２の照明看板ユニットは、互いに連結する連結機構部をそれぞれ有する請求項１に記載の照明看板装置。
【請求項３】
前記第１及び第２の照明看板ユニットは、それぞれ照明光源及び該照明光源に電力を供給する照明光源回路を有し、且つ前記第１及び第２の照明看板ユニット間で前記照明光源回路を電気的に接続する電気接続部をそれぞれ有する請求項１又は２に記載の照明看板装置。
【請求項４】
前記照明光源は発光ダイオードである、請求項１〜３の何れか一項に記載の照明看板装置。
【発明の詳細な説明】
【技術分野】
【０００１】
本発明は、照明看板装置に関するものであり、より詳しくは、設置が容易な照明看板装置に関する。
【背景技術】
【０００２】
現在、壁面に設置されるタイプの照明光源を内部に有する看板が広く使用されており、広告・宣伝に欠かせないものとなっている。一般に、このような看板は、照明光源及び照明光源用の電気配線などを有する光源基盤部と、光源基板部を取り付け、看板を壁面に固定するためのフレーム部と、文字、図柄などの広告内容がデザインされ、照明光によって照明されるカバー部とから構成される。そして、看板設置の際には、まず取り付けるべき壁面に対して複数箇所でフレーム部をアンカーボルトなどで固定する。その後、カバー部を取り付けて設置を終了する。
【０００３】
しかし、例えば、所謂コンビニエンスストアの店頭上部の壁面に設置されるような、長大な看板の場合、看板を複数のユニットに分割して取り付ける方が容易である。このように分割して取り付ける場合、各ユニットが上下、左右、又は前後にずれないように設置するために、複数の作業者の協力と、長時間の工数を要する。特に、設置する壁面に凹凸がある場合には尚更である。
【０００４】
このような問題に対し、互いに平行な上部受けレールと下部受けレール及び照明器具を正しい位置に配設する位置出し金具を設け、看板表示体をユニット毎に構成し、壁上部受けレールと壁下受けレールに着脱可能に係着固定することで、軽量且つ取り付け、取り外しの労力を低減した照明看板装置が開発されている（特許文献１参照）。
【０００５】
しかし、特許文献１に記載された照明看板装置では、壁面に取り付ける上部受けレールと下部受けレールを平行に設置しなければならず、その設置作業は容易でない。
【０００６】
また、看板を設置しようとする壁面は、必ずしもフラットではなく、また他の看板や雨樋などの設置物が存在することがある。特に、看板設置予定領域の両端近傍部に別の設置物が存在している場合には、設置する看板の左右にスペースの余裕がなく、看板の設置に支障をきたすこともある。そこで、より簡便に設置可能で、且つ壁面の形状に対する設置上の制約が少ない照明看板装置が求められている。
【０００７】
【特許文献１】特開２００４−２３３４５７号公報
【発明の開示】
【発明が解決しようとする課題】
【０００８】
上記の問題点に鑑み、本発明は、設置作業の容易な照明看板装置を提供することを目的とする。
【０００９】
また本発明は、設置可能な壁面の制約が少ない照明看板装置を提供することを目的とする。
【課題を解決するための手段】
【００１０】
上記課題を解決するために、本発明に係る照明看板装置は、それぞれがハンガー部材を有する第１及び第２の照明看板ユニットと、壁面に固定され、長手方向に平行な溝を有し、且つその溝とハンガー部材を係合させて第１の照明看板ユニットを吊り下げ支持する固定レールと、壁面に固定される固定部材と、長手方向に平行な溝を有し、固定部材を軸として回動可能であり、且つ溝とハンガー部材を係合させて第２の照明看板ユニットを吊り下げ支持する可動レールと、を有し、可動レールを所定位置に回動することで、第１又は第２の照明看板ユニットが可動レールと固定レール間を相互に移動可能なことを特徴とする。
【００１１】
このような構成とすることにより、照明看板を設置する壁面に凹凸または雨樋などの設置物が存在して、照明看板の設置スペースに余裕がない場合であっても、照明看板を容易に設置することができる。
【００１２】
なお、照明看板ユニットが、可動レールと固定レール間を相互に移動可能とは、可動レールに係合している照明看板ユニットの一部分だけが、固定レールの水平方向の位置と重なる位置まで移動可能なことを含む。同様に、固定レールに係合している照明看板ユニットの一部分だけが、可動レールの水平方向の位置と重なる位置まで移動可能なことを含む。
【００１３】
また、第１及び第２の照明看板ユニットは、互いに連結する連結機構部をそれぞれ有することが好ましい。照明看板ユニット同士の前後、上下、又は水平方向の位置関係を所望の位置で固定し、設置された照明看板の外観の不整合をなくすことができるためである。
【００１４】
さらに、第１及び第２の照明看板ユニットは、それぞれ照明光源及びその照明光源に電力を供給する照明光源回路を有し、且つ第１及び第２の照明看板ユニット間で照明光源回路を電気的に接続する電気接続部をそれぞれ有することが好ましい。外部に露出する電気配線を少なくして、故障を発生し難くすることができるためである。
【００１５】
また、照明光源は発光ダイオードであることが好ましい。照明看板ユニットを薄型化、及び軽量化することができ、照明看板装置の設置時の取り扱いを容易にすることができるためである。
【発明の効果】
【００１６】
本発明により、設置作業の容易な照明看板装置を提供することが可能となった。
また、本発明により、設置可能な壁面の制約が少ない照明看板装置を提供することが可能となった。
【発明を実施するための最良の形態】
【００１７】
以下、図面を参照しつつ本発明に係る照明看板装置の一例について詳細に説明する。
本発明の一例に係る照明看板装置１は、ファサードサインなどに好適なものであり、特に水平方向の長さが数メートルにも及ぶ看板などに適用することができる。
【００１８】
図１に、本発明の一例に係る照明看板装置１の概略正面図を示し、また図２に、図１の矢視Ａ−Ａ’による照明看板装置１の概略断面図を示す。
【００１９】
照明看板装置１は、壁面に対して水平に取り付けられた看板取り付け部２と、看板取り付け部２によって吊り下げ支持されるとともに、看板取り付け部２に沿って水平移動可能な複数の照明看板ユニット３などで構成される。
【００２０】
次に、図１及び２を参照しつつ看板取り付け部２の詳細について説明する。
看板取り付け部２は、数１０ｋｇ〜１００ｋｇ程度の重量を保持可能な強度を有し、且つ屋外に設置されるために防錆性の高い、アルミ材で形成される。また、ステンレス材、アルミ材、カーボンファイバーなどを用いてもよい。さらに、鉄材、銅材など、機械強度は高いが錆び易い金属を、表面に塗料などの防錆材を塗布して用いてもよい。
【００２１】
看板取り付け部２は、照明看板ユニット３を吊り下げるための固定レール２０と、壁面に固定される固定部材２５で軸支され、且つ固定部材２５を軸として回動可能な可動レール２１と、電気配線などが損傷することを防止するために、照明看板ユニット３の背面（なお、背面とは、壁面４に対面する側の面のことをいう。また、壁面４の方へ向いた場合に視認することができる面を前面という。以下同様。また、以下では、壁面４に向かって右側を右、壁面４に向かって左側を左という。）が雨などで濡れないようにする庇２２などで構成される。
【００２２】
固定レール２０の断面形状は、中空状の多角形となっており、下側が開口されて溝２３が形成されている。また、その溝２３は、固定レール２０の長手方向に対して平行に、且つ長手方向のどの位置においても、溝の幅が一定となるように形成される。さらに、その溝２３の幅は、固定レール２０の中空部分の幅よりも狭くなっている。そのような構造により、後述するように、照明看板ユニット３のハンガー部材１０と固定レール２０が係合し、照明看板ユニット３を吊り下げ支持することができる。
【００２３】
さらに溝２３は、照明看板ユニット３の背面が、壁面４に直接的に接触することがないように、照明看板ユニット３のハンガー部材１０から照明看板ユニット３の背面までの距離よりも、壁面４から離れた位置に形成される。
【００２４】
図３（ａ）は、可動レール２１の概略斜視図を示し、図３（ｂ）は、可動レール２１の固定部材２５の拡大断面図を示す。なお、図３（ａ）、（ｂ）においては、簡略化及び説明の明確化のために、庇２２を省略している。
【００２５】
可動レール２１は、固定レール２０と同様に、その断面形状は、中空状の多角形となっており、下側に開口された溝２４を有する。また、その溝２４は、可動レール２１の長手方向に対して平行に、且つ長手方向のどの位置においても、溝の幅が一定となるように形成される。さらに、その溝２４の幅は、可動レール２１の中空部分の幅よりも狭くなっている。また、図３（ａ）に示すように、可動レール２１は、その右端で壁面４に固定される固定部材２５によって軸支され、固定部材２５を回転軸として回動可能に構成される。この可動レール２１は、照明看板ユニット３を固定レール２０又は可動レール２１に係合させるために設けられる。すなわち、可動レール２１が回動され、そのレール２１が壁面４から離れた状態では、固定レール２０の溝２３にハンガー部材１０を係合させるようにして、固定レール２０の可動レール２１に近接した端部から照明看板ユニット３ａをスライドさせて差し込むことができる。また、固定部材２５で固定されていない方の可動レール２１の先端からも、同様に照明看板ユニット３ｂを差し込むことができる。所定数の照明看板ユニット３ａ、３ｂを固定レール２０若しくは可動レール２１に差し込んだ後、固定レール２０の溝２３及び可動レール２１の溝２４が同一直線を形成する位置まで可動レール２１を矢印Ｂに示すように回動する。なお、図３（ａ）に示すように、可動レール２１を壁面４に近づくように回動させた場合、固定レール２０と接触しないように可動レール２１の先端は扇状に形成される。
【００２６】
そして、照明看板ユニット３ａ又は３ｂを適宜溝２３又は溝２４に沿って移動させて位置調整を行う。このように、設置予定の全ての照明看板ユニットを、固定レール２０又は可動レール２１に係合させて、看板取り付け部２から吊り下げることができる。
【００２７】
また、図３（ｂ）に示すように、固定部材２５は、壁面４に固定された鉄製の支持部材２６及び、可動レール２１の回転軸となる支軸２７などで構成される。そして、支持部材２６は、可動レール２１の上下に配置される。そして、その上下の支持部材２６、及び可動レール２１には軸受け孔が形成される。それら軸受け孔を貫通して、円筒形の支軸２７が設けられる。支軸２７の上端及び下端部は、溶接により、上下の支持部材２６に固定される。
【００２８】
このように、可動レール２１は、支軸２７によって回転可能に支持部材２６に取り付けられる。
【００２９】
可動レール２１を設けることにより、壁面４の凹凸若しくは雨樋など既設物の存在により、窪み状となった壁面においても、その窪み部分全体にわたって照明看板装置１を取り付けることができる。
【００３０】
なお、可動レール２１の長さは、照明看板ユニット３の水平方向長さ以上であればよい。ただし、可動レール２１の長さは照明看板ユニット３の水平方向長さの２倍以下であることが好ましい。可動レール２１には１個の照明看板ユニット３が係合できれば、設置する看板の左右にスペースの余裕がない場合でも看板を設置できるという目的を達成できるためである。一方、可動レール２１が長い程、より高い強度を有するように可動レール２１及びその固定部材２５の各部材を作製しなければならないために高価となり、また可動レール２１の回転半径が大きくなり、設置者が取り扱い難くなるためである。
【００３１】
庇２２は、固定レール２０及び可動レール２１の上方に設けられる。また、庇２２の一端は壁面４に固定され、且つ庇２２の上面が、前面側の先端部まで、壁面４から離れるにつれて単調に下方に下がるように形成される。さらに、庇２２の下面は、固定レール２０及び可動レール２１の前面側外殻と結合される。また庇２２は、壁面４から先端部までの長さが、壁面４から照明看板ユニット３の前面までの距離よりも長くなるように形成される。このように庇２２を形成することで、降雨などにより庇２２の上面に溜まった水滴は、庇２２の上面を傾斜に沿って先端側へ流れるため、壁面４をつたって照明看板ユニット３の背面側へ流れる水滴の量を減らすことができる。また庇２２の下面が固定レール２０及び可動レール２１の前面側外殻とつながっているために、庇２２の下面側に入り込んだ水滴も、照明看板ユニット３の背面側へ流れることがない。そのため、照明看板ユニット３に電力を供給するための電気配線などの損傷発生を抑制することができる。
【００３２】
図４（ａ）に、照明看板ユニット３の概略正面図を示し、図４（ｂ）及び図４（ｃ）に、それぞれ照明看板ユニット３を右側側面図及び左側側面図を示す。
【００３３】
照明看板ユニット３は、複数のユニットを機械的に連結し、電気的に接続することで、一つの大きな照明内蔵看板を形成するものであり、また発光ダイオード（以下、ＬＥＤという）を照明光源として用いることで、薄型化、軽量化を達成したものである。
【００３４】
照明看板ユニット３は、照明光源であるＬＥＤ１１を所定の間隔で２次元状に並べて配置した面光源ユニット部１２と、ＬＥＤ１１及び面光源ユニット部１２を内蔵し、固定するためのフレーム１３と、看板として表示する図柄、文字、模様などが表面に描かれた看板サイン面板１４と、看板取り付け部２に照明看板ユニット３を係合させて吊り下げるためのハンガー部材１０と、隣接する照明看板ユニット３同士を機械的に連結するための連結機構部１５と、隣接する照明看板ユニット３に内蔵される照明光源回路同士を電気的に接続するための電気接続部１６などで構成される。また、照明看板ユニット３は、１個につき幅１ｍ、高さ８０ｃｍ、奥行き８ｃｍの大きさを有する。
【００３５】
ハンガー部材１０は、固定レール２０又は開放レール２１に係合することによって照明看板ユニット３を看板取り付け部２から吊り下げ、また照明看板ユニット３が固定レール２０又は開放レール２１に沿って移動することを可能にするためのものである。
【００３６】
図５に、照明看板ユニット３を看板取り付け部２に吊り下げた状態での、ハンガー部材１０及び看板取り付け部２の概略断面図を示す。
【００３７】
図５に示すように、ハンガー部材１０は、直径の異なる２種類の円筒を上下に重ねた形状を有する。また、ハンガー部材１０は、下方の円筒の中心にネジ孔を有し、フレーム１３に設けられたネジ孔を通して、六角ボルトでフレーム１３の上端に固定される。そして、ハンガー部材１０の上方の円筒下面が、固定レール２０の溝に係合して照明看板ユニット３を吊り下げる。
【００３８】
なお、ハンガー部材１０は、照明看板ユニット３の両端近傍にそれぞれ１個ずつ設けられる。
【００３９】
なお、ハンガー部材１０は、錆を生じないようにアルミ材で形成されるが、照明看板ユニット３を吊り下げるために十分な強度を有する材料であればよい。
【００４０】
照明光源であるＬＥＤ１１には、発光についての指向性が低く、拡散性のよい白色ＬＥＤを使用する。具体的には、指向特性が輝度半減角１００°以上のＬＥＤを使用する。
このように拡散性のよいＬＥＤを使用することで、少ない数のＬＥＤでムラのない照明を行なうことができ、その結果、消費電力を低減し、及び照明看板ユニット３を薄型化することができる。また、ＬＥＤ１１に白色ＬＥＤを使用することで、表示される図柄などに表される色を、デザイナーの設計に対して忠実に再現することが可能である。
【００４１】
図６（ａ）に、面光源ユニット部１２の概略正面図、図６（ｂ）に、面光源ユニット部１２の概略側面図、及び図７に、面光源ユニット部１２の概略背面図を示す。
【００４２】
図６（ａ）及び（ｂ）に示すように、面光源ユニット部１２は、複数のＬＥＤ１１を所定の間隔で２次元状に配置し、固定する。また、面光源ユニット部１２は、高さ３５０ｍｍ、幅５００ｍｍを有し、厚さ１０ｍｍの樹脂製基板上に、垂直方向、水平方向とも５０ｍｍの間隔でＬＥＤ１１を取り付けるためのＬＥＤ支持部３０を有する。ＬＥＤ支持部３０は、直径３６ｍｍの円筒形であり、前面は反射板となっている。また各支持部３０の中央にはＬＥＤ取り付け用孔部が形成されている。そして、その取り付け用孔部にＬＥＤ１１を固定する。支持部３０の反射板は、ＬＥＤ１１からの発光のうち、看板サイン面板１４へ直接到達しない光や看板サイン面板１４で一度反射した光を、看板サイン面板１４の方へ反射する。そのため、ＬＥＤ１１からの発光の利用効率をより高めることができる。
【００４３】
また、図７に示すように、面光源ユニット部１２の背面には、各ＬＥＤ１１に電力を供給し、駆動するための照明光源回路を内蔵する光源モジュール部３１が設けられる。各光源モジュール部３１は、ＬＥＤ１１の縦２列毎に１個設けられる。さらに、光源モジュール部３１の外部カバーは、光源モジュール部３１の内部に水滴が侵入しないように、樹脂で一体に成形される。なお、各光源モジュール部３１における照明光源回路は、各ＬＥＤ１１を、１個ずつ並列に接続し、一部のＬＥＤ１１が故障しても他のＬＥＤ１１に影響を及ぼさないようにしている。
【００４４】
なお、面光源ユニット部１２は、１個の照明看板ユニット３に４個使用され、上下、左右それぞれ２個ずつ並べて使用される。
【００４５】
フレーム１３は、樹脂材料で形成され、看板サイン面板１４とともに照明看板ユニット３の外殻を構成する。また、フレーム１３は、面光源ユニット部１２が取り付けられるとともに、各面光源ユニット部１２の照明光源回路へ電力を供給する配線と、その配線に接続される電気接続部１６を有する。さらに、フレーム１３の背面側下部には、フレーム１３が直接壁面４と接触することがないように、緩衝部材１７が設けられる。
【００４６】
看板サイン面板１４は、透明又は半透明な樹脂材料で形成され、表面に看板として表示する内容を表す図柄、文字、模様などが描かれる。また、看板サイン面板１４は、照明看板ユニット３のカバーとしての役割も有し、設置場所における取り外しを考慮されずフレームに対して固定的に取り付けられ、水滴、埃、又は虫などが照明看板ユニット３内に侵入しないように、照明看板ユニット３をフレーム１３とともに密閉する。看板サイン面板１４が固定的に取り付けられるのは、照明光源であるＬＥＤが、従来使用される蛍光灯と比較して長寿命であり、また発熱量も少ないため、光源の取替えや内部清掃のために照明看板ユニット３の内部を手入れする必要がないためである。
【００４７】
連結機構部１５は、隣接する照明看板ユニット３を機械的に連結するものであり、図３に示すように、フレーム１３の上端左端部に設けられたロックピン４０と、フレーム１３の上端右端部に設けられたロック受け部４１などで構成される。
【００４８】
図８に、連結機構部１５の概略構成と、隣接する看板ユニット３同士を連結する際の連結機構部１５の動作を示す。
【００４９】
図８（ａ）に示すように、ロックピン４０は、直径の異なる円筒を上下に二つ重ねた形状であり、上方の円筒の直径が、下方の円筒の直径よりも大きく、フレーム１３の上端右端部に設けられたロックピン用孔部に上方から貫通させた状態で上下動可能にフレーム１３に係止されている。一方、ロック受け部４１は、フレーム１３の上端左端部に、先端がフレーム１３から突出するように設けられる。また、ロック受け部４１は、先端に近づくにつれて、上面が下面に近づくように、先端が鋭角に形成される。またロック受け部４１の上面には、ロックピン受け孔４２が形成され、隣接する照明看板ユニット３が機械的に連結された状態で、左側の照明看板ユニットに設けられたロックピン４０が、右側の照明看板ユニットに設けられたロックピン受け孔４２に嵌合されるようになっている。
【００５０】
ここで、隣接する照明看板ユニット３同士を接近させて機械的に連結する場合の連結機構部１５の動作を、図８を参照しつつ示す。
【００５１】
図８（ｂ）に示すように、ロックピン４０がロック受け部４１に接触すると、その後、ロック受け部４１上面が傾斜しているために、照明看板ユニット３同士の間隔が狭くなるにつれて、ロックピン４０は、ロック受け部４１上面に押し上げられて徐々に上方に移動する。
【００５２】
その後、さらに照明看板ユニット３同士の間隔が狭くなると、ロックピン４０はロックピン受け孔４２に達する。そして、図８（ｃ）に示すように、ロックピン４０とロックピン受け孔４２の水平位置が完全に重なると、ロックピン４０が落下して、ロックピン受け孔４２に嵌合する。ロックピン４０とロックピン受け孔４２が一旦嵌合すると、ロックピン４０を上方に退避させない限り、ロックピン４０がロックピン受け孔４２の側壁に衝突するため、照明看板ユニット３同士が離れるように移動させることができなくなる。こうして、隣接する照明看板ユニット３が機械的に連結される。
【００５３】
電気接続部１６は、フレーム１３の右側左端中央部に設けられたメス型接続部５０と、フレーム１３の左側中央部に設けられたオス型接続部５１などで構成され、隣接する照明看板ユニット３の照明光源回路間を電気的に接続して同一の回線を形成するものである。この電気接続部１６によって、複数の照明看板ユニット３のうちの特定の１ユニットだけが外部の電源と接続されることによって、全ての照明看板ユニット３に電力を供給することが可能となり、また、外部電源との接続部を除いて、他の全ての電気配線を照明看板ユニット３の内部に収納することができ、防水性、防塵性に優れた照明看板を形成することができる。
【００５４】
図９に、電気接続部１６の概略図を示す。
図９（ａ）に示すように、メス型接続部５０では、凹状の電気接点の周囲に、底面の内径よりも開口端の内径の方が大きい擂鉢状をした樹脂製の外枠が設けられている。一方、図９（ｂ）に示すように、オス型接続部５１では、外径がメス型接続部５０の擂鉢の底面の内径とほぼ等しい、中空状の円筒形保護部材と、その内部に形成さらた凸状の電気接点が設けられている。そして、これらメス型接続部５０とオス型接続部５１とが接続された状態では、メス型接続部５０の外枠の内部に、オス型接続部５１の保護部材が入れ子状に重なり、さらにその内部でそれぞれの電気接点が接触する構造となるため、電気接点部の防水性、防塵性が高い。また、メス型接続部５０の外枠が、擂鉢状をしているため、オス型接続部５１をメス型接続部５０に近づけるにつれて、メス型接続部５０の中心へ向かって移動させるガイドとして機能し、接続部同士の位置合わせを容易に行なうことができる。
【００５５】
また、左端又は右端の照明看板ユニット３の電気接続部１６に接続して、回線を閉じる回線ターミネータ（図示せず）が用意される。回線ターミネータは、オス型接続部５１用、及びメス型接続部５０用の２種類が準備される。それぞれの回線ターミネータは、各接続部に接続できるように、電気接点側の形状がメス型接続部５０又はオス型接続部５１と同様に形成される。また、回線ターミネータは、内部に水滴などが侵入しないように、密閉構造を有する。そして、回線ターミネータの内部では、一方の端子と他方の端子を電気的に接続するように結線されている。
【００５６】
なお、回線ターミネータが接続された側と反対側の端部の照明看板ユニット３の電気接続部は、各照明看板ユニット３に電力を供給するために、外部電源に接続される。
【００５７】
このように、複数の照明看板ユニット３が機械的及び電気的に接続されてなる照明看板の左右何れかの電気接続部１６を任意に選択して回線ターミネータで閉じ、他方の電気接続部１６を外部電源に接続することにより、外部電源の位置に合わせて照明看板までの電気配線の長さを短くすることができる。
【００５８】
次に、本発明の一例に係る照明看板装置１の設置方法について説明する。
まず、看板取り付け部２を、照明看板装置１の水平方向の全長に合わせて壁面４に取り付ける。この取り付けの際、まず、固定レール２０だけをアンカーボルトで壁面４に固定する。また、壁面４に凹凸がある場合、固定レール２０が壁面４の凸部の頂点を結ぶ直線となるように取り付ける。このように取り付けることで、壁面４の凹凸に関わらず、固定レール２０の直線性を維持して、個々の照明看板ユニット３間で前後に凹凸が生じることを防止できる。
【００５９】
次に、可動レール２１を、固定レール２０の右側に連続するように壁面４に取り付ける。この際、可動レール２１の溝２４と、固定レール２０の溝２３の高さを一致させる。
【００６０】
可動レール２１の取り付けが終了すると、可動レール２１を回動して、固定レール２０と固定部材２５の間に、看板ユニット３を壁面４に平行に置けるだけのスペースを確保する。
【００６１】
次に、照明看板ユニット３を、予め決められた順番通り、ハンガー部材１０が固定レール２０の溝２３に入るように固定レール２０の可動レール２１側の端部から挿入し、固定レール２０に沿って所定の位置へ移動させる。
【００６２】
そして、隣接する照明看板ユニット３同士の間隔を詰めて結合する。この際、連結機構部１５を連結することによって、照明看板ユニット３同士は機械的に連結される。また電気接続部１６を接続することによって、各照明看板ユニット３の照明光源回路を電気的に同一の電気回路とする。
【００６３】
最も右端に配置される照明看板ユニット３を除く、残りの照明看板ユニット３の設置が終了すると、右端に配置される照明看板ユニット３を可動レール２１に挿入する。この際も、照明看板ユニット３を看板取り付け部２に挿入するときと同様に、ハンガー部材１０が可動レール２１の溝２４に入るように挿入する。
【００６４】
右端に配置される照明看板ユニット３が可動レール２１内に収まると、可動レール２１の溝２４と固定レール２０の溝２３が一直線状に並ぶ所定位置まで可動レール２１を回動する。そして、可動レール２１に係合している照明看板ユニットを、固定レール２０の側へ溝２４及び溝２３に沿って移動し、隣接する照明看板ユニットと結合する。逆に、固定レール２０に係合している照明看板ユニットを可動レール２１側へ移動させて、可動レール２１に係合している照明看板ユニットと結合させてもよい。
【００６５】
全ての照明看板ユニット３の結合が終了すると、可動レール２１を壁面４に固定し、その後庇２２を取り付ける。
【００６６】
最後に、全ての照明看板ユニット３が結合されてなる照明看板に対して、左端若しくは右端の何れかの電気接続部１６に回線ターミネータを取り付け、他方の電気接続部１６を、外部電源に接続することにより、取り付けを終了する。
【００６７】
以上説明してきたように、本発明に係る照明看板装置は、障害物に挟まれた領域でも設置可能であり、且つ壁面に凹凸があったとしても、各照明看板ユニットを凹凸なく容易に設置できるものである。また、各照明看板ユニットの照明光源にＬＥＤを用いて、各照明看板ユニットを軽量、薄型化して、照明看板ユニット上部に設けた看板取り付け部のレールだけで、照明看板ユニットを下から支える下部受けレールがなくとも十分に保持できるようにしたものであり、設置の容易性を向上したものである。さらに、照明光源の寿命の長さにより、照明看板ユニット内部を開放して光源を取り替えたりする作業を無くし、万が一の故障時には、容易にユニット毎の交換を可能としている。
【００６８】
なお、本発明に係る照明看板装置は、上述した実施形態に限られるものではない。
上記の実施形態で示した各部の寸法は、例示に過ぎず、本発明はこれら寸法によって限定されるものではない。
【００６９】
また、照明光源として、ＬＥＤの代わりに、有機ＥＬ発光素子のような薄型化が可能な面発光素子を使用してもよい。
【００７０】
さらに、上記の実施形態では、可動レールを、固定レールの右側に配置したが、逆に可動レールを固定レールの左側に配置する構成としてもよい。この場合、当然可動レールの固定部材は、可動レールの左端部に位置することとなる。
【００７１】
また、上記の実施形態では、各照明看板ユニットを同一のサイズとしたが、照明看板ユニット毎、又は特定の照明看板ユニットのサイズだけを別のものにして、照明看板を設置するスペースに合わせて照明看板全体の水平長さを調整できるようにしてもよい。
【００７２】
また、上記の実施形態では、可動レールを水平に回動可能な形態として説明したが、可動レールを支持する支軸を、可動レールを取り付ける壁面に対して垂直に設置することにより、可動レールを壁面に対して平行に回動可能なように構成してもよい。
【００７３】
上記のように、本発明に係る照明看板装置は、設置する壁面のスペースに合わせて、本発明の範囲内で適宜最適化することができる。
【図面の簡単な説明】
【００７４】
【図１】本発明の一例に係る照明看板装置の概略正面図である。
【図２】図１の矢視Ａ−Ａ’による概略断面図である。
【図３】（ａ）は、可動レールの概略斜視図であり、（ｂ）は、可動レールの固定部材の拡大断面図である。
【図４】（ａ）は、照明看板ユニットの概略正面図であり、（ｂ）は、照明看板ユニットの右側側面図であり、（ｃ）は、照明看板ユニットの左側側面図である。
【図５】ハンガー部材及び看板取り付け部の概略断面図である。
【図６】（ａ）は、面光源ユニット部の概略正面図であり、（ｂ）は、面光源ユニット部の概略側面図である。
【図７】面光源ユニット部の概略背面図である。
【図８】（ａ）〜（ｃ）は、照明看板ユニット同士を機械的に連結する場合の連結機構部の動作説明図である。
【図９】（ａ）は、電気接続部のメス型接続部の概略構成図であり、（ｂ）は電気接続部のオス型接続部の概略構成図である。
【符号の説明】
【００７５】
１    照明看板装置
２    看板取り付け部
３、３ａ、３ｂ    照明看板ユニット
４    壁面
１０    ハンガー部材
１１    ＬＥＤ
１２    面光源ユニット部
１３    フレーム
１４    看板サイン面板
１５    連結機構部
１６    電気接続部
１７    緩衝部材
２０    固定レール
２１    可動レール
２２    庇
２３、２４    溝
２５    固定部材
２６    支持部材
２７    支軸
３０    ＬＥＤ支持部
３１    光源モジュール部
４０    ロックピン
４１    ロック受け部
４２    ロックピン受け孔
５０    メス型接続部
５１    オス型接続部
【図１】
2007058024.tif 000003
【図２】
2007058024.tif 000004
【図３】
2007058024.tif 000005
【図４】
2007058024.tif 000006
【図５】
2007058024.tif 000007
【図６】
2007058024.tif 000008
【図７】
2007058024.tif 000009
【図８】
2007058024.tif 000010
【図９】
2007058024.tif 000011